(57)【要約】      （修正有）【課題】幼令木をカバーし、幼令木への害獣を防ぐ際に、幼木を保護しているネット及び、該ネットをネット支持部材に固定する支持固定部材を幼令木保護ネット外の害獣に触れられないようにする幼令木保護ネットをを提供する。【解決手段】経糸に緯糸を打ち込んでなる織生地の両側縁の耳部８生地を一重織生地とし、前記両側縁の耳部８生地間の生地を２枚重ねとした筒状の二重織生地とし、前記２枚重ねの筒状織生地を、表裏反転してなる２枚重ね生地の間部に、前記耳部８を突出させ、筒状織地内に挿し立てた支柱４と前記筒状織地の耳部８とを固定部材５で一体に固定した。【選択図】図３
0003203029.tif 000002
【実用新案登録請求の範囲】
【請求項１】
経糸に緯糸を打ち込んでなる織生地の両側縁の耳部生地を一重織生地とし、前記両側縁の耳部生地間の生地を２枚重ねとした筒状の二重織生地とし、前記２枚重ねの筒状織生地を、表裏反転してなる２枚重ね生地の間部に、前記耳部を突出させ、筒状織地内に挿し立てた支柱と前記筒状織地の耳部とを固定部材で一体に固定したことを特徴とする幼令木保護ネット。 
【考案の詳細な説明】
【技術分野】
【０００１】
本考案は、植樹した幼令木が小動物の餌として食害を受けるのを防止するため、幼令木を囲って、その周囲に配する幼令木保護ネットに係る。
【背景技術】
【０００２】
林業に於いて新たに植林をする場合、一般に幼令木を現場に植え、その生長を促進させることで林地化しているが、幼令木はややもすれば害獣の餌として食されることが多い。
そこで、上記食害を防ぐために、幼令木の周囲を筒状のネットで被って、その周囲に立った支柱によりネットを保持した保護具が作られている（特許文献１）が、支柱自身がネット体の外に立てられ、且つ、支柱とネットを固定する留め具もネット体の外面に設けられているために害獣等に襲われた際には、先ず筒状ネット体外部に位置して設けられた留め具、或は、支柱等がネットの保護を受けることなく破られてしまうと云う事が見られた。
【先行技術文献】
【特許文献】
【０００３】
【特許文献１】特開２０１４−１６１３０２号公報
【考案の概要】
【考案が解決しようとする課題】
【０００４】
本考案は、上記の点に鑑みて、幼令木保護ネットを使用し、それにより幼令木をカバーし、幼令木への害獣を防ぐ際に、幼令木保護ネットを支持する幼令木保護ネット支持支柱と前記幼令木ネットとの固定手段を、ネットの内部の空間に位置させることにより、幼木を保護しているネット及び、該ネットをネット支持部材に固定する支持固定部材を幼令木保護ネット外の害獣に触れられないように配する。
【０００５】
幼令木保護ネットの支柱は、筒状をなした幼令木保護ネットの内部に位置するように林地に挿し立てられ、かつ、幼令木保護ネットと前記支柱との固定も幼令木保護ネットの内部でフランジを介してなるように前期固定部材は全て幼令木保護ネット内に設置されている。これにより、ネット内に存在する係止固定具に害獣は接することを阻止され、幼令木を傷められるのを防ぎ幼令木を保護することを可能としたのが、本考案幼令木保護ネットである。
【課題を解決するための手段】
【０００６】
請求項１記載の考案は、経糸に緯糸を打ち込んでなる織生地の両側縁の耳部生地を一重織生地とし、前記両側縁の耳部生地間の生地を２枚重ねとした筒状の二重織生地とし、前記２枚重ねの筒状織生地を、表裏反転してなる２枚重ね生地の間部に、前記耳部を突出させ、筒状織地内に挿し立てた支柱と前記筒状織地の耳部とを固定部材で一体に固定した。
【考案の効果】
【０００７】
本考案、幼令木保護ネットは、筒状をなしたネットを幼令木に被せ、筒状をなしたネット体内部に挿し立てた支持支柱でネット体内部よりネットを固定支持しており、かつ，支持支柱に対するネットの固定は筒状体ネット内面中心軸に向け経緯糸で所定長さ製織されてなるフランジを支持支柱に巻き付け、それを更にクリップ等の挟持部材で挟んで固定している。従がって、本考案においてネットとネットの支持部材との固定組み合せは総て筒状体ネットの内部において行われるので、鳥や獣などによる前記ネットとその支持部材との固定手段の破損は阻止することが出来る。
【図面の簡単な説明】
【０００８】
【図１】（Ａ）は筒状に織り上げたネット正面側中間の一部ネットを切除した状態を示す正面図、（Ｂ）は同平面図。
【図２】（Ａ）は筒状に織り上げた筒状ネットを表裏反転し、ネット地を裏返しした状態を示した側面図、（Ｂ）は同平面図。
【図３】（Ａ）は筒状に織り上げたネットを表裏反転し、支柱と共に組み立て支持した状態を示しネットの内部を明らかにすべくネットを一部切除した状態の斜視図である。（Ｂ）はクリップでネットを支柱に固定した構成を示す水平方向断面図である。
【図４】クリップの拡大図で、（Ａ）は正面図、（Ｂ）は平面図、（Ｃ）は右側面図、（Ｄ）は背面図である。
【考案を実施するための形態】
【０００９】
本考案、幼令木保護ネット１の実施の形態を図面と共に次に説明する。
本考案、幼令木保護ネット１は、幼令木２を育成する際に、生長の途次害獣等の餌として幼令木２が食されて幼令木２の生長が望めないという事態が生ずることが無いよう、幼令木２をカバーして食害を防ぐために用いるものである。
【００１０】
幼令木保護ネット１の構成は、苗木等の幼令木２を覆うネット３と、該ネット３をネット内部から支えネット３の倒伏を防ぐ支柱４と、支柱４にネット３を固定するクリップ等の固定部材５とよりなる。
【００１１】
図３（Ａ）に示す如く、ネット３は幼令木２を囲むことで幼令木２を害獣の食害から保護することが出来る。幼令木２を筒状に構成したネット３で囲い、ネット３を、ネット内に立てた支柱４で支えている。ネット３は袋織の手法により経糸６、緯糸７を用い筒状に織成され、経糸６方向の長さを幼令木保護ネット１の長さ（高さ）方向としている。
【００１２】
図１（Ａ）にネット３の一部を切除した状態の正面図を、同（Ｂ）にネット３の平面図をそれぞれ示す。ネット３の経糸６方向を幼令木保護ネット３の高さ方向に、ネット３の緯糸７方向を幼令木保護ネット３の耳部８を含む筒状体の周方向の長さとする。
ネット３は、図１（Ｂ）に平面図で示す如く、筒状に製織されたネット生地両端縁の耳部８，８が、全経糸６と全緯糸７とを用い、緯糸７を経糸６間に打ち込んだ一重の織物とし、左右の両耳部８，８間のネット３は表裏の生地３ａ，３ｂが重なった状態で製織された二重織地１１とする。即ち、両耳部８，８間に渡っている緯糸７を２分し、両側端部に耳部８が位置する筒状体を構成する。
【００１３】
筒状に製織されたネット３の両側縁の耳部８は、後述するクリップ等の固定部材５を筒状のネット３の内部に取り付けるため、筒状体のネット３の内外を反転し耳部８が筒状のネット３の内部に位置するように位置決めし、耳部８を固定部材５の取付用部材としている。
【００１４】
前記ネット３は、図１（Ａ）に示す如く、経糸６と緯糸７とを用いて筒状に製織される。その全織幅Ｌ１の両側縁部分の緯幅Ｌ２に相当する耳部８の全経緯糸を用いて一重の生地を製織し、前記両耳部８，８間の生地は、経糸６と緯糸７を共に２分して２組の経糸６と緯糸７とによって２枚の二重織生地を製織する。
【００１５】
本考案、幼令木保護ネット１の使用の態様を次に説明する。
本考案幼令木保護ネット１の使用の状態を図３に示す。本考案幼令木保護ネット１は、筒状体をなし、保護すべき幼令木２を囲って保護する筒状体のネット３と、前記ネット３で幼令木２を囲ったときにネット３の起立を固定する支柱４と、支柱と前記ネット３とを固定するクリップ等の固定部材５とよりなり、先ず、幼令木２を囲って筒状のネット３を配し、ネット３の内部位置で前記耳部８に重なる位置に支柱４を立てる。そして支柱４を前記耳部８に巻き込み固定すると共に、その外部からクリップ等の固定部材５で支柱４とネット３とを一体に挟持し、耳部８を支柱４に巻き付け固定する。
【００１６】
上記固定部材５は、一例として図４に示す如きものがある。全体構成として本体部分が平面視Ｃ字形をなし、先端の開口部分が弾性を有して開閉出来、使用時にＣ字の開口内に耳部８と支柱４とを同時に挟み込んで固定している。従がって、幼令木２の生長により高さが種々ある場合でもそれぞれの幼令木２の高さに応じて支柱での支持高さを最高にすることが可能となる。
また、二重織地１１を使用し、二重織地１１が一重となっている部分の耳部８をクリップ等の固定部材５の固定位置としているために固定部材５がネット３の外部に位置することがなく、害獣に固定部材５が破損されることもない。
【符号の説明】
【００１７】
１    幼令木保護ネット
２    幼令木
３    ネット
４    幼令木保護ネット支持支柱
５    クリップ等の固定部材
６    経糸
７    緯糸
８    耳部
１０  幼令木を囲う部位
１１  二重織地 
【図１】
0003203029.tif 000003
【図２】
0003203029.tif 000004
【図３】
0003203029.tif 000005
【図４】
0003203029.tif 000006